(57)【要約】【課題】既設折板屋根の上に新設下地材を取り付けて、この新設下地材の上に新設タイトフレームを介して新設折板を取り付けるようにした折板屋根葺替技術であって、既設下地材を再利用しながら新設下地材を簡単に、しかも強固に取り付けることができる折板屋根葺替え用金具の提供。【解決手段】ネジ棒材３ａと、座金部材３ｂと、ナット部材３ｃを有し、ネジ棒材は、横腕部３０を尖鋭部３１によって刺し込むことで既設折板１２を貫通し、その貫通した横腕部が既設下地材１０に係合する。座金部材は、既設折板の上に当接して横腕部との間で既設下地材を挟持する。ナット部材は、座金部材を既設折板の上に押圧させて、座金部材と横腕部とで既設下地材を締付け状態に挟持させるようにネジ棒材の上端部に螺合され、このナット部材に新設下地材５を連結させる。【選択図】  図１
2004250972.tif 000002
【特許請求の範囲】
【請求項１】
既設下地材の上に既設タイトフレームを介して既設折板が取り付けられた既設折板屋根の上に新設下地材を取り付けるための折板葺替え用金具であって、
先端が尖鋭部に形成された横腕部が下端に形成されているネジ棒材と、このネジ棒材を挿通させる座金部材と、前記ネジ棒材の上端部に螺合させるナット部材を有し、
前記ネジ棒材は、横腕部を先端の尖鋭部によって既設折板の上から刺し込むことで既設折板を貫通して、その貫通した横腕部が既設下地材に係合するように形成され、
前記座金部材は、前記既設折板の上に当接して前記横腕部との間で既設下地材を挟持するように形成され、
前記ナット部材は、前記座金部材を既設折板の上に押圧させて、この座金部材と前記横腕部とで既設下地材を締付け状態に挟持させるように前記ネジ棒材の上端部に螺合され、かつこのナット部材に新設下地材を連結させるように形成されていることを特徴とした折板屋根葺替え用金具。
【請求項２】
既設下地材の上に既設タイトフレームを介して既設折板が取り付けられた既設折板屋根の上に新設下地材が取り付けられ、この新設下地材の上に新設タイトフレームを介して新設折板が取り付けられた折板屋根葺替え構造であって、
先端部が尖鋭に形成された横腕部が下端に形成されたネジ棒材と、このネジ棒材を挿通させる座金部材と、前記ネジ棒材の上端部に螺合させるナット部材とを有する折板屋根葺替え用金具を備え、
前記ネジ棒材は、横腕部を先端の尖鋭部によって既設折板の上から刺し込むことで既設折板を貫通して、その貫通した横腕部が既設下地材に係合されており、
前記座金部材は、前記既設折板の上に当接して前記横腕部との間で既設下地材を挟持しており、
前記ナット部材は、前記座金部材を既設折板の上に押圧させて、この座金部材と前記横腕部とで既設下地材を締付け状態に挟持させるように前記ネジ棒材の上端部に螺合しており、
前記ナット部材に前記新設下地材が連結され、この新設下地材の上に新設タイトフレームを介して新設折板が取り付けられていることを特徴とした折板屋根葺替え構造。
【請求項３】
既設下地材の上に既設タイトフレームを介して既設折板が取り付けられた既設折板屋根の上に新設下地材を取り付け、この新設下地材の上に新設タイトフレームを介して新設折板を取り付けるようにした折板屋根葺替え方法であって、
先端部が尖鋭に形成された横腕部が下端に形成されたネジ棒材と、このネジ棒材を挿通させる座金部材と、前記ネジ棒材の上端部に螺合させるナット部材とを有する折板屋根葺替え用金具を用い、
前記ネジ棒材を、横腕部を先端の尖鋭部によって既設折板の上から刺し込むことで既設折板を貫通させて、その貫通させた横腕部を既設下地材に係合させ、
前記ナット部材を前記ネジ棒材の上端部に螺合して前記座金部材を前記既設折板の上に押圧させることにより、この座金部材と前記横腕部とでの間で既設下地材を締付け状態に挟持させ、
次に、前記ナット部材に前記新設下地材を連結させ、この新設下地材の上に新設タイトフレームを介して新設折板を取り付けるようにしたことを特徴とした折板屋根葺替え方法。
【発明の詳細な説明】
【０００１】
【発明の属する技術分野】
本発明は、既設の折板屋根をそのまま残しながら、その上に新たな折板を葺くようにした折板屋根葺替え用金具及び折板屋根葺替え構造並びに折板屋根葺替え方法に関する。
【０００２】
【従来の技術】
折板屋根は、下地材の上にタイトフレームを介して折板が取り付けられた構造になっており、この折板屋根は、施工性の良さと、工期の短縮化につながることから、倉庫、事務所、住宅、鉄骨建築等、多くの場所に使用されている。
しかしながら、屋根材となる折板がトタンであるため、錆びによる腐食が発生し易く、耐久性に難がある。
そこで、この折板の葺き替えが必要になるが、従来では、既設の折板を完全に剥ぎ取って新たな折板を葺く技術と、既設の折板屋根をそのまま残しながら、その上に新たな折板を葺く技術（特許文献１参照）とが知られている。
【０００３】
【特許文献１】
特開２０００１−７３５０９号公報
【０００４】
前者のように、既設の折板を完全に剥ぎ取って、新たな折板を葺くようにすると、天井の解体工事としたのち、復元工事が必要になるため、工事が大掛かりになる。
従って、後者のように、既設の折板屋根をそのまま残しながら、その上に新たな折板を葺くようにするのが一般的である。
前記した特許文献１の技術は、タイトフレームに折板を取り付けるために設けている取付ボルトを再利用した技術であって、この取付ボルトに螺合させるナット部の上端に剣先ボルトを一体に形成した葺替え用ボルトを用いている。
即ち、葺替え用ボルトのナット部を既設の取付ボルトに螺合させ、そして、この葺替え用ボルトの剣先ボルトを新設折板に下から貫通させ、その貫通した剣先ボルトの上端からナットを螺合させることで、新設折板を取り付けるようになっている。
【０００５】
しかしながら、前記した特許文献１の技術は、タイトフレームに折板を取り付けるために設けている取付ボルトを再利用した技術であり、この既設の取付ボルトは、長期に亘る使用によって錆びが発生したり、ネジ山が腐食したりするなど、再使用に適さない状態になっていることが多く、再使用するには、錆びを除去するなどの手間がかかり、作業能率を向上できないという問題があった。
又、新設折板の重量を、本来、葺き替えを必要とするタイトフレーム及び折板だけで支えることになるため、新設折板の支持が不安定になり易いという問題があった。
【０００６】
【発明が解決しようとする課題】
本発明は、上記のような問題を解決するためになされたもので、既設折板屋根の上に新設下地材を取り付けて、この新設下地材の上に新設タイトフレームを介して新設折板を取り付けるようにした折板屋根葺替技術であって、既設下地材を再利用しながら新設下地材を簡単に、しかも強固に取り付けることができる折板屋根葺替え用金具を提供することを第１の課題としている。
また、この折板屋根葺替え用金具を利用した折板屋根葺替え構造を提供することを第２の課題とし、又、この折板屋根葺替え用金具を利用した折板屋根葺替え方法を提供することを第３の課題としている。
【０００７】
上記第１の課題を解決するために、本発明の折板屋根葺替え用金具（請求項１）は、
既設下地材の上に既設タイトフレームを介して既設折板が取り付けられた既設折板屋根の上に新設下地材を取り付けるための折板葺替え用金具であって、
先端が尖鋭部に形成された横腕部が下端に形成されているネジ棒材と、このネジ棒材を挿通させる座金部材と、前記ネジ棒材の上端部に螺合させるナット部材を有し、
前記ネジ棒材は、横腕部を先端の尖鋭部によって既設折板の上から刺し込むことで既設折板を貫通して、その貫通した横腕部が既設下地材に係合するように形成され、
前記座金部材は、前記既設折板の上に当接して前記横腕部との間で既設下地材を挟持するように形成され、
前記ナット部材は、前記座金部材を既設折板の上に押圧させて、この座金部材と前記横腕部とで既設下地材を締付け状態に挟持させるように前記ネジ棒材の上端部に螺合され、かつこのナット部材に新設下地材を連結させるように形成されている構成とした。
【０００８】
又、上記第２の課題を解決するために、本発明の折板屋根葺替え構造（請求項２）は、
既設下地材の上に既設タイトフレームを介して既設折板が取り付けられた既設折板屋根の上に新設下地材が取り付けられ、この新設下地材の上に新設タイトフレームを介して新設折板が取り付けられた折板屋根葺替え構造であって、
先端部が尖鋭に形成された横腕部が下端に形成されたネジ棒材と、このネジ棒材を挿通させる座金部材と、前記ネジ棒材の上端部に螺合させるナット部材とを有する折板屋根葺替え用金具を備え、
前記ネジ棒材は、横腕部を先端の尖鋭部によって既設折板の上から刺し込むことで既設折板を貫通して、その貫通した横腕部が既設下地材に係合されており、
前記座金部材は、前記既設折板の上に当接して前記横腕部との間で既設下地材を挟持しており、
前記ナット部材は、前記座金部材を既設折板の上に押圧させて、この座金部材と前記横腕部とで既設下地材を締付け状態に挟持させるように前記ネジ棒材の上端部に螺合しており、
前記ナット部材に前記新設下地材が連結され、この新設下地材の上に新設タイトフレームを介して新設折板が取り付けられている構成とした。
【０００９】
又、上記第３の課題を解決するために、本発明の折板屋根葺替え方法（請求項３）は、
既設下地材の上に既設タイトフレームを介して既設折板が取り付けられた既設折板屋根の上に新設下地材を取り付け、この新設下地材の上に新設タイトフレームを介して新設折板を取り付けるようにした折板屋根葺替え方法であって、
先端部が尖鋭に形成された横腕部が下端に形成されたネジ棒材と、このネジ棒材を挿通させる座金部材と、前記ネジ棒材の上端部に螺合させるナット部材とを有する折板屋根葺替え用金具を用い、
前記ネジ棒材を、横腕部を先端の尖鋭部によって既設折板の上から刺し込むことで既設折板を貫通させて、その貫通させた横腕部を既設下地材に係合させ、
前記ナット部材を前記ネジ棒材の上端部に螺合して前記座金部材を前記既設折板の上に押圧させることにより、この座金部材と前記横腕部とでの間で既設下地材を締付け状態に挟持させ、
次に、前記ナット部材に前記新設下地材を連結させ、この新設下地材の上に新設タイトフレームを介して新設折板を取り付けるように構成した。
【００１０】
【発明の実施の形態】
以下、本発明の実施の形態を図面に示す実施例により説明する。
図１は本発明の第１実施例にかかる折板屋根葺替え構造の側面図、図２はその折板屋根葺替え構造の正面図、図３は折板屋根葺替え方法の工程説明図、図４は折板屋根葺替え用金具の斜視図である。
【００１１】
図において、１０はＨ鋼による既設下地材で、鉄骨骨組みの梁として組みたてられ、この上に既設タイトフレーム１１を介して既設折板１２が取り付けられることで、既設折板屋根１が形成されている。
前記既設タイトフレーム１１は、帯状板材を略台形の波形形状に折り曲げて形成され、その谷部が前記既設下地材１０の上面に溶接やビス等によって取り付けられている。
又、前記既設折板１２は、平板材を略台形の波形形状に折り曲げて形成され、前記既設タイトフレーム１１の上に被せられて、その頂部が前記既設タイトフレーム１１の頂部に取付ボルト１３及び防水パッキン付きのナット１４により取り付けられている。
【００１２】
そして、前記既設折板屋根１の葺き替えに際し、既設折板１２をそのまま残しながら、その上に新たな新設折板２を葺くもので、この場合、折板屋根葺替え用金具３を用いて既設折板１２の上に新設下地材５を取り付けるものである。
【００１３】
前記折板屋根葺替え用金具３は、下端部を略直角に折り曲げることで、下端に横腕部３０が形成されているネジ棒材３ａと、このネジ棒材３ａを挿通させる座金部材３ｂと、前記ネジ棒材３ａの上端部に螺合させるナット部材３ｃを有している。
【００１４】
前記ネジ棒材３ａの下端に形成された横腕部３０の先端は尖鋭部３１に形成され、その尖鋭部３１を既設折板１２の上から刺し込むことでネジ棒材３ａを既設折板１２に貫通させ、その貫通した横腕部３０が既設下地材１０に係合するように形成されている。
又、このネジ棒材３ａにおける横腕部３０が延長した側の面には、ネジ棒材３ａの下端部分から横腕部３０の根元部分にかけて刃部３２が形成されると共に、ネジ棒材３ａの両側面には平担面３３が形成されている。
【００１５】
前記座金部材３ｂは、底板部３４と、立上板部３５と、上板部３６と、垂下板部３７を形成するように細幅板材を折曲げて形成されている。
前記垂下板部３７の下端は、常時は底板部３４の上面から離反すると共に、この垂下板部３７の下端に係止爪３８が突設され、この係止爪３８に対向するように位置して前記底板部３４に貫通穴３９が形成されている。
そして、前記上板部３６を押え付けることにより垂下板部３７の下端が底板部３４の上面に接触した状態で、前記係止爪３８が貫通穴３９を通して底板部３４の下面から突出するように形成されている。
【００１６】
又、前記底板部３４及び上板部３６には、前記ネジ棒材３ａを挿通させるための通穴４０，４０が形成されている。このように底板部３４及び上板部３６の２ヶ所に通穴４０，４０を形成して、これにネジ棒材３ａを挿通させているため、ネジ棒材３ａを座金部材３ｂに対して略直立状態に挿通させることができる。
又、前記通穴４０には、前記ネジ棒材３ａの平担面３３に対応する直線部４１，４１が形成され、この直線部４１によって前記平担面３３を係止することにより、ネジ棒材３ａの座金部材３ｂに対する回転を規制して、横腕部３０の延長方向と底板部３４の延長方向とが同一方向になるようにしている。
【００１７】
前記ナット部材３ｃは、前記ネジ棒材３ａの上端部に螺合させるナット部４２と、このナット部４２に溶接したブラケット部４３を備え、このブラケット部４３にボルト挿通用の長穴４４が形成されている。
【００１８】
上記のように形成された折板屋根葺替え用金具３を用いて、既設折板屋根１の葺き替えを行なうもので、その作業工程を説明する。
この折板屋根葺替え方法は、既設下地材１０に折板屋根葺替え用金具３を固定させ、次に、この折板屋根葺替え用金具３に新設下地材５を取り付け、この新設下地材５の上に新設タイトフレーム６を介して新設折板２を取り付けるものである。
【００１９】
本実施例の折板屋根葺替え方法では、図３に示すように、まず、既設下地材１０から若干外方に離れた位置に見当を付けて、ネジ棒材３ａの横腕部３０の先端を既設折板１２の谷部において上面にあてがう（図３−イ）。
【００２０】
次に、その位置でハンマー等で叩打して、ネジ棒材３ａの横腕部３０を尖鋭部３１によって既設折板１２の上から刺し込んで既設折板１２を貫通させる（図３−ロ）。
【００２１】
次に、貫通させたネジ棒材３ａが既設下地材１０に接触するまでハンマー等で叩打し、横腕部３０を既設下地材１０に係合させる（図３−ハ）。
このとき、ネジ棒材３ａの下端部分から横腕部３０の根元部分にかけて刃部３２が形成されているため、この刃部３２によって既設折板１２を容易に切り裂くことができ、既設折板１２に変形や歪を生じさせることがない。
【００２２】
次に、前記ナット部材３ｃを回転させてナット部４２を前記ネジ棒材３ａの上端部に螺入していくことで、座金部材３ｂの底板部３４を既設折板１２の上に当接して、この座金部材３ｂと前記横腕部３０との間で既設下地材１０を挟持させる（図３−ニ）。
この状態では、前記ナット部４２が未だ締め付けられていないため、折板屋根葺替え用金具３は仮止め状態にあり、前記座金部材３ｂの垂下板部３７の下端は、底板部３４の上面から離反し、係止爪３８は貫通穴３９に挿入されていない。
【００２３】
そして、この仮止め状態から更にナット部４２を前記ネジ棒材３ａに螺入して締め付けていくことにより、座金部材３ｂの上板部３６を押圧していく。
これにより、座金部材３ｂと横腕部３０との間で既設下地材１０を締付け状態に挟持させて、折板屋根葺替え用金具３を既設下地材１０に固定することができる（図３―ホ）。
このとき、垂下板部３７の下端が底板部３４の上面に接触し、その状態で前記係止爪３８が貫通穴３９を通して底板部３４の下面から突出し、既設折板１２に突き刺さることから座金部材３ｂが既設折板１２の上でズレ動くことがなく、確実に固定することができる。
又、ネジ棒材３ａを貫通させて切り裂くことにより既設折板１２に生じた貫通穴は、座金部材３ｂによって覆われるため、この貫通穴から雨水が漏れることはない。この場合、座金部材３ｂの底板部３４の下面に止水パッキンを取り付けておくのが好ましい。
【００２４】
このようにして、折板屋根葺替え用金具３を既設下地材１０に固定した後、次に、チャンネル鋼による新設下地材５を既設折板１２の上に載置し、その新設下地材５を折板屋根葺替え用金具３に設けたナット部材３ｃのブラケット部４３に、長穴４４にボルト５０を通してナット５１により締結して、新設下地材５を折板屋根葺替え用金具３に固定する。
【００２５】
そして、この新設下地材５の上に新設タイトフレーム６を固定し、この新設タイトフレーム６に取付ボルト６０及び防水パッキン付きのナット６１によって新設折板２を取り付けることで、折板屋根の葺替えが完了する。
尚、この新設タイトフレーム６及び新設折板２の取り付けは、既設タイトフレーム１１及び既設折板１２の取り付けと同様である。
【００２６】
次に、図５は本発明の第２実施例にかかる折板屋根葺替え構造の側面図である。
この第２実施例の折板屋根葺替え構造では、折板屋根葺替え用金具３の座金部材３ｂが、底板部３４と上板部３６が立上板部４６で一体に連結され、底板部３４の下面に係止爪３８が突設された構造に形成されている。
【００２７】
又、折板屋根葺替え用金具３のナット部材３ｃが長ナット４８により形成され、そして、角鋼による新設下地材５に挿通させた長ボルト５２を長ナット４８に締結することで、既設折板１２の上に折板屋根葺替え用金具３を介して新設下地材５を取り付けるようにした構造になっている。
なお、その他の構成及び施工方法は、前記第１実施例と同様であり、同一構成部分は図面の符号を同一にした。
【００２８】
【発明の効果】
以上、説明したように、本発明の折板屋根葺替え用金具（請求項１）にあっては、強度的に強い既設下地材を再利用しながら新設下地材を簡単に、しかも強固に取り付けることができる。
又、ネジ棒材の横腕部の先端を尖鋭部に形成したので、既設折板の上から刺し込んで既設折板を簡単に貫通させることができる。
又、ネジ棒材を貫通させることにより既設折板に生じた貫通穴を、座金部材によって覆うため、工事期間中の雨漏れを防ぐことができる。
又、鉄骨建築物に欠かせない溶接を必要としないので、天井裏に火花を落すことなく、安全に事務所、住宅等の屋根をリフォームすることができる。
【００２９】
なお、実施例のように、ネジ棒材３ａに刃部３２を形成すると、既設折板１２を切り裂きながらネジ棒材３ａを既設下地材１０に接触させるまで簡単に近付けることができ、横腕部３０を既設下地材１０に深く係合させて、座金部材３ｂとで既設下地材１０を強固に挟持させることができる。
又、座金部材３ｂに底板部３４と上板部３６を形成して、この底板部３４と上板部３６に形成した通穴４０，４０にネジ棒材３ａを挿通させているため、ネジ棒材３ａを上下２ヶ所の通穴４０，４０で支えることができ、ネジ棒材３ａを座金部材３ｂに対して略直立状態に挿通させることができる。
又、ネジ棒材３ａに平担面３３を形成すると共に、この平担面３３に対応する直線部４１を通穴４０に形成すると、ネジ棒材３ａの座金部材３ｂに対する向きを一定方向に規制することができる。
又、座金部材３ｂに係止爪３８を突設させると、この係止爪３８が既設折板１２に突き刺さって座金部材３ｂがズレ動くのを防止でき、特に、第１実施例のように、垂下板部３７の下端に係止爪３８を形成させると、常時は係止爪３８が突出しないので安全に使用できる。
【００３０】
又、本発明の折板屋根葺替え構造（請求項２）及び折板屋根葺替え方法（請求項３）にあっては、強度的に強い既設下地材を再利用しながら新設下地材を折板屋根葺替え用金具によって簡単かつ強固に取り付けることができるし、この折板屋根葺替え用金具によって新設下地材及び新設折板の重量を確実に支えることができると共に、新設下地材を取り付けるため、新設折板を今まで通りの施工方法で簡単に取り付けることができる。
【図面の簡単な説明】
【図１】本発明の第１実施例にかかる折板屋根葺替え構造の側面図である。
【図２】その折板屋根葺替え構造の正面図である。
【図３】折板屋根葺替え方法の工程説明図である。
【図４】折板屋根葺替え用金具の斜視図である。
【図５】本発明の第２実施例にかかる折板屋根葺替え構造の側面図である。
【符号の説明】
１  既設折板屋根
１０  既設下地材
１１  既設タイトフレーム
１２  既設折板
１３  取付ボルト
１４  ナット
２  新設折板
３  折板屋根葺替え用金具
３ａ  ネジ棒材
３ｂ  座金部材
３ｃ  ナット部材
３０  横腕部
３１  尖鋭部
３２  刃部
３３  平担面
３４  底板部
３５  立上板部
３６  上板部
３７  垂下板部
３８  係止爪
３９  貫通穴
４０  通穴
４１  直線部
４２  ナット部
４３  ブラケット部
４４  長穴
４６  立上板部
４８  長ナット
５  新設下地材
５０  ボルト
５１  ナット
５２  長ボルト
６  新設タイトフレーム
６０  取付ボルト
６１  ナット
【図１】
2004250972.tif 000003
【図２】
2004250972.tif 000004
【図３】
2004250972.tif 000005
【図４】
2004250972.tif 000006
【図５】
2004250972.tif 000007